(57)【要約】      （修正有）【課題】お墓参りのお花を長持ちさせるため、お花を切り花から植木による献花にすることが出来る自動給水献花植木鉢を提供する。【解決手段】お墓６の献花用の花瓶置き場５に穴をあけ、水溜め容器２を設置して水溜め容器の安定と水瓶として利用する。水溜め容器２の中に献花用植木鉢１を入れて植木鉢の安定を図る。献花用植木鉢１の底面に数ヵ所の引き通し口８を開ける。献花用植木鉢１の引き通し口８に、給水シート３を通して水溜め容器の底面まで入れる。この構成により水溜め容器２の水を給水シート３の毛管現象により、献花用植木鉢１まで運ぶことができる。この水で、植木に水を補給されるので枯れずに成育する。【選択図】図１
0003158201.tif 000002
【実用新案登録請求の範囲】
【請求項１】
お墓参りの献花は切り花のために、長持ちしないのが問題である。特に、夏は直ぐ枯れてしまうため、後処理や花の交換作業は心身、経済的に負担を強いられる。
さらに、緑化対策の一環として、お墓は植木で鉢対応する必要があります。
諸外国のお墓はバラなどの草花を植えていることから、日本も切り花に固執する理由はない。
植木鉢方式にすると植木への「水やり」が問題になる。
これを解決するために、植木鉢に自動的に水やりを行う給水装置をつけたことを特徴とする自動給水献花用植木鉢。
【請求項２】
献花用植木鉢の下に、水を入れる貯水用の水溜め容器を設置する。
植木鉢と水溜め容器を給水シートで繋ぐことが、水溜め容器の水を給水シートの毛細管現象で植木鉢まで届ける。
これが、草花が枯れないことを特徴とする自動給水献花用植木鉢。
【請求項３】
鉢の下部に穴を開けることで、雨水は水溜め容器に集められる、水の自然補充もできる。
自然循環も可能にすることを特徴とする請求項２に記載する自動給水植木鉢。
【請求項４】
貯水用の水溜め容器に、（中にある植木鉢の底面の高さ）穴を開けることにより、雨水等が植木鉢まで溜まらないために、草花等の根腐れを防ぐことができる。
貯水溜めは陶器やセラミック、磁器、プラスチックなど強い材質が望ましいが、軽い材料が交換等の作業がやりやすい利点がある。
水の量が分かりやすいのは、透明のプラスチック製やガラス製である、ことを特徴とする請求項２に記載する自動給水献花用植木鉢。
【請求項５】
お墓は、献花するための花瓶が置きやすいように円柱状の穴が空いている。この穴に入る大きさの水溜め容器が理想です。
お墓により形状が違うために水溜め容器の形状も一定の寸法でなく、お墓により変える必要がある。
自動給水献花植木鉢は、お墓の形状、植えるお花の本数により、大きさを変換できることを特徴とする請求項２に記載する自動給水献花用植木鉢。
【考案の詳細な説明】
【技術分野】
【０００１】本発明は、お墓参りのお花を長持ちさせるため、お花を切り花から植木による献花にするための自動給水献花植木鉢に関する。
【背景技術】
【０００２】お墓参りの献花は切り花が当然のこととして引き継がれてきました。しかし、切り花は直ぐに枯れてしまうという欠点が有ります。
お墓の花が枯れていると美的な環境を損なうばかりでなく、腐ることから衛生上も好ましいものではない。
これを解決するために、献花を切り花から植木にすることであることが好ましいが、水やりの問題がある。【０００３】切り花から植木にするのは抵抗を感じる方もあるが、諸外国のお墓は草花を植えて美的な環境と衛生上を兼ねたお墓で、ご先祖の供養を行っているのが多い。
日本でも環境や衛生上の問題、緑化対策からも植木方式が見直されるべき時期である。
地球の温暖化問題からも、植木方式が望ましい方向であるが、植木に対する水やりの問題がある。【０００４】このような問題を解決するための特許文献１．２には、切り花を長持ちさせるための提案がなされている。【０００５】すなわち、お墓参りの花は切り花を原則として考えられている。しかし、切り花のままで、お花を長持ちさせるには限界があり、植木方式が望ましい。【０００６】
【特許文献１】  特許公開２００２−９６
【特許文献２】  特許公開２００６−２９６７８３
【考案の開示】
【考案が解決しようとする課題】
【０００７】そこで本発明は、自動給水献花用植木鉢を使うことで、献花を切り花から植木方式にすることができる。
そのため、花を長持ちさせることができ、お花の交換に対する労力の軽減、金銭的な負担減を図る。さらに、緑化対策になり、地球の温暖化にも効果をあげることを目的とするものである。
【課題を解決するための手段】
【０００８】自動給水献花用植木鉢を使うことで献花を切り花から植木として植えることを特徴としている。【０００９】献花用植木鉢には自動給水できるように構成されていて、植木鉢の下部に水溜め容器を付けて、植木鉢と水溜め容器の間に給水紐または給水テープを設置することを特徴としている。【００１０】献花用植木鉢の下部に浄水装置を設置することを特徴とする。【００１１】水溜め容器の上部に数ヵ所の穴を開けることを特徴とする。【００１２】お墓の献花用の花瓶置き場を利用するために、水溜め容器を花瓶入れの中に入れることを特徴とする。【００１３】献花用植木鉢の大きさは、お墓の形状や植木の本数により違うため、利用者の好みに合った形状を作ることを特徴とする。【００１４】給水紐、給水テープの形状は、お花の本数、お花の大きさ、量、お花の特徴により変えることを特徴とする。
【考案の効果】
【００１５】自動給水献花用植木鉢を使うことで、献花を植木として植えられるために、お花の交換に対する労力の軽減、経済的にも軽減が図れる。
献花のお花が散った後も、植木は枯れないで緑で潤っているために、寂しさや不衛生感のない綺麗な感じで、お墓を維持できる。
高齢や健康上の問題でお墓まで行けない方、お墓が遠くにある方など、お墓参りが頻繁にできにくい方々にも安心感をもっていただける。【００１６】献花用植木鉢には自動的給水ができるように構成されていて、植木鉢の下部に水溜め容器を付けて、植木鉢と水溜め容器の間に給水紐または給水テープを設置することで、水溜め容器の水が毛管現象を利用して適量の水やり効果がある。【００１７】鉢に降った雨水は浄水された綺麗な水になり水溜め容器に溜めることができるために、自然界の水で循環作用が働くことになる。【００１８】大雨等で鉢に大量の水が流入したときは、水溜め容器の上部に空いた数ヵ所の穴から水が流出するために鉢に水が溜まることはなく、草花の根腐れを防ぐことができる。【００１９】お墓の献花用花瓶置き場を利用するために、水溜め容器は花瓶入れの中に入る。
その結果、献花用植木鉢に安定感を与えるため、強風や誤って触れても倒れないなど安全性を保つことができる。【００２０】お墓の形状、利用者の好みに合った形状で献花用植木鉢を作ることができるために植木の種類、本数の調整もできる。【００２１】給水紐、給水テープの形状は、お花の本数、お花の大きさ、量、お花の特徴により変えられるために水やりの量の調整ができる。
【図面の簡単な説明】
【００２２】
【図１】本考案の実施形態を示す自動給水献花植木鉢の部分断面図です。
【考案を実施するための最良の形態】
【００２３】図１に示すように、お墓（６）は献花用の花瓶置き場（５）は穴をあけて花瓶が安定するように設置されている。
この穴を利用して、水溜め容器（２）を設置して水溜め容器の安定と水瓶として利用するものである。
水溜め容器（２）の中に献花用植木鉢（１）を入れて植木鉢の安定を図る。【００２４】水溜め容器（２）を墓石（６）の献花用花瓶置き場（５）に設置する。
献花用花瓶置き場（５）は墓石の種類により形状が違うために、水溜め容器の長さ、幅、広さ、深さ等は均一ではない。
献花用植木鉢を入れる水溜め容器は外見的が見えるので、美的感覚を考慮して作成するために均一な形状ではない。【００２５】草花が根腐れしないように献花用植木鉢（１）最底面と同じ高さの水溜め容器の位置に排水口（４）を設ける。
これは、大雨等で大量の水が流入した時、この排水口（４）から水を逃がすことにより草花を守るものである。【００２６】水溜め容器（２）の中に献花用植木鉢（１）を設置する。
水溜め容器（２）と献花用植木鉢（１）は接続した一体型と分離型を状況により使用する。【００２７】献花用植木鉢の底面に浄水シート（７）を設置する、これは献花用植木鉢に大量に水を与え場合、大雨で大量の水が献花用植木鉢に流入した場合でも、水を浄化することで土やゴミが水溜め容器に入らずに、容器の水をきれいにする作用を持つものである。【００２８】献花用植木鉢（１）の底面に数ヵ所の引き通し口（８）を開ける。
献花用植木鉢（１）の引き通し口（８）に、給水シート（３）を通して水溜め容器の底面まで入れる。
給水シートは植木の種類、鉢の大小など状況によりテープ状やひも状に変える。
給水シートの本数は献花用植木鉢の大きさ、植木の種類等により使い分けるものとする。【００２９】水溜め容器（２）の水を給水シート（３）の毛管現象により、献花用植木鉢（１）まで運ぶことができる。
この水で、植木が水を補給するために枯れずに成育する。【００３０】水溜め容器（２）の水は献花用植木鉢（１）上に降った雨が溜まるために、循環作用で献花は寿命まで生きることができる。
お墓がすべて植木方式に変えると、お墓は花が枯れても、緑は残るために緑化作用で地球温暖化防止にも役立つものである。
【符号の説明】
【００３１】１．  献花用植木鉢
２．  水溜め容器
３．  給水マット・紐・テープ・ロープ
４．  水溜め容器の排水口
５．  花瓶置き場
６．  墓石の一部
７．  洗浄マット
８．  給水テープ引き入れ口
【図１】
0003158201.tif 000003
【手続補正書】
【提出日】平成21年10月21日(2009.10.21)
【手続補正１】
【補正対象書類名】実用新案登録請求の範囲
【補正対象項目名】全文
【補正方法】変更
【補正の内容】
【実用新案登録請求の範囲】
【請求項１】
自動給水献花植木鉢は、お墓に設置されている献花用花瓶入れ穴に設置される円筒形を有することを特徴とする自動給水献花植木鉢。
【請求項２】
水溜容器と植木鉢の間に給水布を有し請求項１の記載を特徴とする自動給水献花植木鉢。
【請求項３】
水溜容器の上部、植木鉢置き板付近の高さに排水口を有し請求項１の記載を特徴とする自動献花植木鉢。
【請求項４】
水溜容器の上部に、植木鉢の防護柵を有し請求項１の記載を特徴とする自動給水献花植木鉢。
【手続補正書】
【提出日】平成21年12月18日(2009.12.18)
【手続補正１】
【補正対象書類名】実用新案登録請求の範囲
【補正対象項目名】全文
【補正方法】変更
【補正の内容】
【実用新案登録請求の範囲】
【請求項１】
植木鉢、献花用花瓶入れ穴に設置される水溜容器、及び当該植木鉢と当該水溜容器との間に設置される給水布から構成されることを特徴とする自動給水献花植木鉢。
【請求項２】
前記水溜容器の上部、植木鉢置き板付近の高さに排水口を設けたことを特徴とする請求項１に記載の自動給水献花植木鉢。
【請求項３】
前記水溜容器の上部に、植木鉢の防護板を設けたことを特徴とする請求項１に記載の自動給水献花植木鉢。